(57)【要約】【課題】  従来の土木用袋体をそのまま利用しても、従来の土木工事用袋体設置時に問題となっていた波浪などの外力による中詰め材の移動、袋体の摩耗による破損を防止する技術を提供する。【解決手段】  合成繊維ネットを用いて構成され、中詰め材が充填されている土木工事用袋体１が複数個並べられてなり、当該並べられた土木工事用袋体１の複数個にわたるようにネット２が被せられ、当該被せられたネット２は、ロープ又はベルト３を介し、かつそのロープ又はベルト３が緊張した状態にて、上記土木工事用袋体１の下部と連結されていることを特徴とする土木工事用構造体。【選択図】  図１
2006219906.tif 000002
【特許請求の範囲】
【請求項１】
合成繊維ネットを用いて構成され、中詰め材が充填されている土木工事用袋体が複数個並べられてなり、当該並べられた土木工事用袋体の複数個にわたるようにネットが被せられ、当該被せられたネットは、ロープ状物又はベルト状物を介し、かつそのロープ状物又はベルト状物が緊張した状態にて、上記土木工事用袋体の下部と連結されていることを特徴とする土木工事用構造体。
【請求項２】
ロープ又状物又はベルト状物が、伸縮性を有するものであることを特徴とする請求項1に記載の土木工事用構造体。
【請求項３】
ロープ又状物又はベルト状物が、袋体に固定するための治具を端部に有し、かつ、長さを調整可能にするための締め具を装着されてなるものであることを特徴とする請求項1又は２に記載の土木工事用構造体。
【発明の詳細な説明】
【技術分野】
【０００１】
本発明は、中詰め材の充填された土木工事用袋体を用いて構築され、河川や海岸の洗掘防止、侵食防止、護岸もしくは防波堤として使用できる土木工事用構造体に関するものである。
【背景技術】
【０００２】
従来、河川や海岸の洗掘防止、侵食防止、護岸もしくは防波堤として蛇籠や籠マットが使用されてきたが、近年では、地面や川底・海底面の凹凸形状に追随できる利点から、砕石などの中詰め材を充填して使用する合成繊維ネット製の土木工事用袋体が多用されてきている。しかし、この土木用袋体は、特に海岸などの波浪条件が厳しい条件で使用されると、波力によって袋体内に充填されている中詰め材が移動したり、袋体を構成する合成繊維が中詰め材に頻繁に接触、摩耗されることにより袋体が破損するという問題があった。この問題を解決する改良技術として、袋体の内部構造を工夫して、袋体の内部に中仕切を配置した土木工事用袋体（特許文献1参照）や、袋体の底部から口部を通って外に引き出され、底部と口部とを連結する中繋ぎ材を設けた土木工事用袋体（特許文献2参照）が提案されている。
【特許文献１】特開2003-129443
【特許文献２】特開2003-129444
【発明の開示】
【発明が解決しようとする課題】
【０００３】
本発明は、土木工事用袋体の構造を工夫した上記の改良技術とは趣を異にし、従来の土木用袋体をそのまま利用しても、従来の土木工事用袋体設置時に問題となっていた波浪などの外力による中詰め材の移動、袋体の摩耗による破損を防止する技術を提供することを課題とするものである。
【課題を解決するための手段】
【０００４】
本発明者らはこのような問題を解決するために鋭意検討した結果、土木工事用袋体を複数個並べて設置する際に、それらの上からネットを被せたうえ、ベルト等で固定することによって緊張状態を保つことにより、中詰め材が袋体内部で移動するのを制御できることを見出し、本発明に到達した。
【０００５】
すなわち、本発明の要旨は次の通りである。
１．合成繊維ネットを用いて構成され、中詰め材が充填されている土木工事用袋体が複数個並べられてなり、当該並べられた土木工事用袋体の複数個にわたるようにネットが被せられ、当該被せられたネットは、ロープ状物又はベルト状物を介し、かつそのロープ状物又はベルト状物が緊張した状態にて、上記土木工事用袋体の下部と連結されていることを特徴とする土木工事用構造体。
２．ロープ又状物又はベルト状物が、伸縮性を有するものであることを特徴とする上記１の土木工事用構造体。
３．ロープ又状物又はベルト状物が、袋体に固定するための治具を端部に有し、かつ、長さを調整可能にするための締め具を装着されてなるものであることを特徴とする上記１又は２の土木工事用構造体。
【発明の効果】
【０００６】
本発明の土木工事用構造体は、地面や川底・海底面地面の凹凸に追随できるという土木工事用袋体の特長をそのまま生かすことができ、波浪などによる強い外力に曝される厳しい条件下においても、袋体内に充填されている中詰め材が移動したり、袋体を構成する合成繊維が中詰め材に頻繁に接触、摩耗されることにより袋体が破損するというような事態を防止することができる。しかも、そのような土木工事用構造体を構築するために、従来の一般的な土木工事用袋体を利用することができる。
【発明を実施するための最良の形態】
【０００７】
本発明の土木工事用構造体は、複数個の土木工事用袋体と、これらに被せるネットとを用いて構築される。
【０００８】
まず、土木工事用袋体について説明する。土木工事用袋体としては、合成繊維ネットを用いて形成された袋体が用いられる。
【０００９】
合成繊維としては、特に限定されるものではないが、例えばポリアミド系、芳香族系ポリエステル系、脂肪族系ポリエステル系、ポリオレフィン系、ポリウレタン系またこれら合成繊維の再生品などを用いることができる。これら合成繊維のうち、耐摩耗性の点ではポリアミド系が、寸法安定性の点ではポリエステル系が、生分解性による使用後の廃棄容易性の点では脂肪族系ポリエステル系が、伸縮性の点ではポリウレタン系が、軽量化の点ではポリオレフィン系が好ましい。したがって、所望の特性に応じて適宜の合成繊維素材を選択し、あるいは組み合わせて使用すればよい。また、合成繊維としては、一般に使用されている難燃剤、着色剤、顔料、滑剤、耐候剤、酸化防止剤や耐熱剤などが適宜添加されていてもよい。
【００１０】
合成繊維の形態としては、長繊維、紡績糸のいずれでもよいが、耐摩耗性や強力の点で長繊維が好ましい。強力としては5cN/dtex以上が好ましく、5cN/dtex未満では中詰め材が土木工事用袋体内に投入された際に衝撃で破損するおそれがある。また、仮撚加工などの加工を施した合成繊維を使用すれば、伸縮性を向上させることができる。
【００１１】
土木工事用袋体を構成する合成繊維ネットの組織としては、地面や川底・海底面地面の凹凸に追随できる程度の柔軟性と、通水性とを兼ね備えていれば、特に限定されるものではないが、柔軟性の点から、ラッセル編、無結節編もしくはかえるまた網などの編物組織が好ましい。ネットの破損のし難さということを考慮すれば、切断箇所が連破しないラッセル編みで編成されたネットが最も好ましい。
【００１２】
なお、ネットの網目としては、小さすぎると水による抵抗が増し、大きすぎると中詰め材が流出しやすいことから、１０〜１５０ｍｍ程度が好ましい。
【００１３】
本発明においては、土木工事用袋体に砕石などの中詰め材が充填されて用いられる。通常、土木工事用袋体に中詰め材を充填するにあたっては、設置時には地面や川底・海底面（以下、「地面等」ということがある）の凹凸に追随させる必要があることから、袋体内で中詰め材が移動できるようにせねばならない。このため、中詰め材を袋体の容量いっぱいに入れるのではなく、上部に多少の余裕を残して充填する。すると、袋体を地面等に単に設置した場合、袋体を構成するネットのうち、設置した状態で中詰め材が入っている高さまでのネット部分では、中詰め材による荷重が直接作用してネットは緊張状態にある。しかし、袋体の上部においては、袋体を構成するネットに中詰め材による荷重が直接していない部分が存在する、つまりネットが余ったような状態になる。このとき、そのような中詰め材による荷重が直接していないネット部分（以下、弛緩ネット部分ということがある）をそのまま放置しておくと、次のような問題が生じる。すなわち、波浪等によりこの部分が大きく揺動して中詰め材に頻繁に接触するため、摩耗されることにより袋体が破損しやすい。また、袋体が中詰め材をしっかりと拘束していない状態にあるため、波浪等の外力により中詰め材が移動しやすく、設置後に全体の形が崩れたり、摩耗によって袋体が破損したりしやすい。
【００１４】
そこで、本発明では、この弛緩ネット部分が揺動しないように、袋体とは別にネットを用意して、これを複数個の土木工事用袋体に被せて固定するのである。この土木工事用袋体に被せるためのネット（以下、「固定用ネット」ということがある）としては、上記した袋体を構成するネットと同様の素材、特性及び組織構造のネットを使用することができる。勿論、両者を同じもので構成せねばならないという意味ではなく、設計事項の範囲で異なる素材、特性及び組織構造のネットを用いることができるのはいうまでもない。
【００１５】
本発明の土木用構造体は、上記したように中詰め材が充填された土木工事用袋体を複数個並べ、これら複数個の土木工事用袋体の上から、土木工事用袋体の複数個にわたるようにネットを被せて固定するのであるが、その固定には、ロープ状物又はベルト状物（以下、「ロープ状物等」ということがある）を用いる。すなわち、固定用ネットと土木工事用袋体の下部（つまり、中詰め材の重みがかかっている部分）との間をロープ状物等で連結して絞め込むことにより、固定用ネットを緊張状態にあるロープ状物等を介して、土木工事用袋体の下部に連結するのである。このような固定を行なうことで、複数個並べられた土木工事用袋体は固定用ネットによってしっかりと押さえられることになる。その結果として、波浪等の外力を受けても、弛緩ネット部分が揺動することがなくなり、中詰め材もまたしっかりと押さえられているので、袋体内での移動が防止される。しかも、複数の土木工事用袋体がまとまり、構造体としての安定性が増す。
【００１６】
上記のロープ状物等としては、合成繊維からなるロープやベルトを用いることができる。ロープやベルトを構成する合成繊維の種類としては、特に限定されるものではなく、袋体のネットや固定用ネットを構成する合成繊維として既に説明した合成繊維と同様のものを用いればよい。ロープ状物等としては、伸縮性を有するものであれば、張力をかけるのが容易になるので好ましい。そのような伸縮性を有するロープ状物等を構成するには、ポリウレタン系繊維に代表される弾性繊維や、仮撚加工などの加工を施した合成繊維を使用すればよい。
【００１７】
また、ロープ状物等としては、土木工事用袋体を構成しているネット部分へ直接結び付けて結合してもよいが、結合を容易にすることができる点で、端部には袋体に固定するための治具、例えばフック等の固定用治具を備えていることが好ましい。さらには、ロープ状物等には、その長さを調整可能にするための締め具、例えばバックルやラチェット等の締め具が装着されていることが好ましく、それにより締込みが容易になり、ロープ状物等を緊張状態に保つことができる。
【００１８】
また、ロープ状物等として、ウレタン等の伸縮性素材のものを用い、伸長させつつ袋体に固定することにより、伸長復元力の作用で緊張状態を具現することもできる。
【００１９】
なお、ロープ状物等と固定用ネットとの結合態様としては、ロープ状物等が固定用ネットに固着されていてもよく、ロープ状物等の端部にフック等の治具を用いて結合されていてもよい。また、ロープ状物等が固定用ネットに挿通されていてもよく、この場合、ロープ状物等が固定用ネットと完全に結合されていなくてもよい。
【００２０】
本発明の土木工事用構造体は、例えば図１に示すように構築できる。すなわち、複数の土木工事用袋体１（ネットで構成され、中詰め材が充填されているが、この図では省略して表わしている）を複数個並べ、その上から固定用ネット２を複数個の土木工事用袋体１にわたるように被せ、固定用ネット２に適宜の間隔にて複数本が挿通されたロープ３の一端を土木工事用１の下部に結合する。図１では向こう側に隠れて見えないが、ロープ３の他端もまた、土木工事用袋体１の下部に結合されており、この際、ロープ３は絞め込まれて緊張している。このようにすることで、固定用ネット３によって複数の土木工事用袋体１が押さえられた状態にある土木工事用構造体が構築されるのである。なお、図１は土木工事用袋体１を一列に4個並べ、その全ての袋体にわたるように１枚の固定用ネットが被せられた態様を示す物であるが、土木工事用袋体の個数や並べ方、固定用ネットの枚数やそれを何個の土木工事用袋体にわたって被せるかということ等は、本発明の設計事項の範囲で適宜調整すればよい。土木工事用袋体を複数段に積み上げることも必要に応じて適宜行なえばよい。
【実施例】
【００２１】
次に本発明を実施例によって具体的に説明する。
【００２２】
参考例（土木工事用袋体の製造）
ナイロン黒原着繊維1400dtex／210ｆ（強度6.5cN/dtex）を用いて、72本格によるラッセル網地で網目75mmのネットを構成した。このネットを7.8m×4.7mに裁断したものを2枚重ねにして、約3.9×4.7mになるように2つ折りにし、2つ折り部に対向する辺を開口部として残して側部の2辺を縫合し、巾着袋になるように束ねて結縛した。次に、開口部の全周に沿って、開口部より3目下部の網目に、口縛りロープとして太さ6mmのナイロンロープ（引張強力：0.75t）を挿通した。また、同様に開口部の全周に沿って、開口部から5目下部の網目に、吊りロープとして太さ30mmのポリエステルロープ（引張強力：15t）を挿通して配設した。このとき、吊りロープには吊りリング（炭素鋼鋼材、内径150mm、厚み38mm）を、袋体開口部に沿って略均等な間隔で6箇所に配置されるよう、吊りロープをリング内に通すことにより設けた。以上のようにして、本発明に使用可能な土木工事用袋体を得た。
【００２３】
実施例１
ナイロン黒原着繊維1400dtex／210ｆ（強度6.5cN/dtex）を用いて、72本格によるラッセル網地で網目75mmのネットを構成した。このネットを長さ25m×幅4.0mに裁断したものを固定用ネットとして準備した。別途、両端にフック金具、中心部にラチェットが装着してある幅25mmのポリエステル製のベルト（株式会社トーヨーセーフティ製、No.5010)を準備し、上記固定用ネットの長さ方向の両端部からそれぞれ2目内側の網目に、幅方向に挿通して装着した。また、その2本のベルト間のほぼ等間隔となるよう、同じようにベルトを装着した。このようにして、図２に示すような、ベルトを備えた固定用ネットを得た。ただし、図２ではラチェットは省略されている。なお、ベルトの長さとしては、両端部のベルトでは６ｍ、他のベルトは１０ｍとした。
【００２４】
福井県坂井郡の海岸において、参考例で得られた土木工事用袋体に、中詰め材として人頭大の砕石(一辺が30〜45cm程度)を１袋あたり約８トン投入したもの１０袋を、一列に並べて設置した。その上から、上記のベルトが装着された固定用ネット１枚を、全ての袋体にわたるように被せた。そして、ベルト両端部のフック金具を、各袋体の下部に固定した後、ラチェットでベルトを締込んで緊張させることにより、１０個の土木工事用袋体全体を固定用ネットにより固定した。さらにその上にもう一段積み上げるように、同様にして１０個の土木工事用袋体を並べて固定用ネットにより固定した。以上のようにして、本発明の土木工事用袋体を構築した。
【００２５】
実施例２
実施例1で使用したポリエステル製ベルトの代わりに、両端にフック金具が装着している幅50mmの伸縮性を有するポリウレタン織物製のベルト(ユニマテック株式会社製アイアンラバー)を使用したこと、ラチェットによらずそのベルトを伸長させながら各袋体の下部に固定することにより緊張させたこと以外は、実施例１と同様にして本発明の土木工事用袋体を構築した。
【００２６】
比較例１
実施例１で行なったのと同様に、中詰め材として砕石を投入した土木工事用袋体１０個を、一列に並べて設置した。ただし、固定用ネットは使用しなかった。さらにその上にもう一段積み上げるように、同様にして土木工事用袋体１０個を並べて設置した。固定用ネットは使用しなかった。
【００２７】
実施例１、２及び比較例1の構築現場にその後何ら手を加えることなく１年後に観察したところ、比較例では袋体内の砕石が動いたことにより袋体が破損しており、しかも破損した部分が流失していた。これに対して実施例1及び2では、特に砕石が動いた様子はなく、破損している箇所も見受けられなかった。なお、実施例1及び2の袋体の表面には海草類が繁茂しており、環境的な面からも好ましいものであった。
【図面の簡単な説明】
【００２８】
【図１】本発明の土木工事用構造体の一態様を模式的に示す側面図である
【図２】本発明に用いる固定用ネットの一態様を模式的に示す平面図である
【符号の説明】
【００２９】
１  土木工事用袋体
２  ネット
３  ロープ又はベルト
４  フック
【図１】
2006219906.tif 000003
【図２】
2006219906.tif 000004